(57)【要約】【課題】  開封や内容物の取出しが容易な包装用箱を提供する。【解決手段】  １枚のブランクシートから一体的に打ち抜かれた箱体形成片１２から成り、互いに平行に連接された側面１４，１６，１８，２０と、一側面１４から連なって箱体を閉鎖する上蓋片３２と、上蓋片３２に連接し対向する側面１８の外側に糊付される差込片３６を有する。差込片３６が糊付される側面１８に、破断線６２で囲まれて設けられた糊付片６０を備える。糊付片６０は、上蓋片３２に近い側の端部に連接して設けられている。糊付片６０の上蓋片３２に近い端部に対して略平行な方向長さは、端部の１／２以上の長さに形成され、糊付片６０の、端部に対して略直角な方向の長さは、側面１８の端部から底面までの長さに対して１／２以上の長さに形成されている。【選択図】      図１
2005112384.tif 000002
【特許請求の範囲】
【請求項１】
１枚のブランクシートから一体的に打ち抜かれた箱体形成片から成り、この箱体形成片には、互いに平行に連接された側面と、前記一側面から連なって箱体を閉鎖する上蓋片と、上蓋片に連接し対向する前記側面の外側に糊付される差込片と、前記差込片が糊付される前記側面に破断線で囲まれて設けられた糊付片が設けられ、前記糊付片は、前記側面の、前記上蓋片に近い側の端部に連接して設けられ、前記糊付片の前記上蓋片に近い端部に対して略平行な方向長さは前記端部の１／２以上の長さに形成され、前記糊付片の、前記端部に対して略直角な方向の長さは、前記側面の前記端部から底面までの長さに対して１／２以上の長さに形成されていることを特徴とする包装用箱。
【請求項２】
前記糊付片を区切る前記破断線は、切断線部と一対の切断線部の間の連結部からなり、連結部は切断線部に対して極短く設けられ、比較的弱い力で連結部が切断可能であることを特徴とする請求項１記載の包装用箱。
【発明の詳細な説明】
【技術分野】
【０００１】
この発明は、開封や内容物の取出しを容易にした構造の包装用箱に関する。
【背景技術】
【０００２】
従来、１枚のブランクシートから一体に打ち抜かれた箱体形成片を組み立てた包装用箱には、互いに平行に連接された側面と、前記側面から連なって箱体上面の開口部を閉鎖する上蓋片と、上蓋片に連接し対向する前記側面の外側に糊付される差込片が設けられたものがある。開封するときは、側面に糊付された差込片を引き起こして糊付けを剥がす構造であった。
【特許文献１】特開２００２−２３４５３１号公報
【発明の開示】
【発明が解決しようとする課題】
【０００３】
上記構造の包装用箱は、手の不自由な人等にとって、側面に重ねられて糊付された差込片を引き起こすことは、やりにくい動作である。また、開封を容易にするために、上蓋片や差込片に開封用の破断部が設けられたものもあるが、いずれも細かい動作が必要であり、開封しずらかった。
【０００４】
本発明は、前記従来の問題点に鑑みてなされたものであり、開封や内容物の取出しが容易な包装用箱を提供することを目的とする。
【課題を解決するための手段】
【０００５】
本発明は、１枚のブランクシートから一体的に打ち抜かれた箱体形成片からなる包装用箱であり、この箱体形成片には、互いに平行に連接された側面と、前記一側面から連なって箱体を閉鎖する上蓋片と、上蓋片に連接し対向する前記側面の外側に糊付される差込片と、前記差込片が糊付される前記側面に破断線で囲まれて設けられた糊付片が設けられている包装用箱である。前記糊付片は、前記側面の、前記上蓋片に近い側の端部に連接して設けられ、前記糊付片の前記上蓋片に近い端部に対して略平行な方向長さは前記端部の１／２以上の長さに形成され、前記糊付片の、前記端部に対して略直角な方向の長さは、前記側面の前記端部から底面までの長さに対して１／２以上の長さに形成されている。
【０００６】
また、前記糊付片を区切る前記破断線は、切断線部と一対の切断線部の間の連結部からなり、連結部は切断線部に対して極短く設けられている。これにより、弱い力で連結部が切断され、開封される。
【発明の効果】
【０００７】
本発明は、簡単な構造で開封しやすく、手が不自由な人や力が弱い人、その他体の不自由な人でも容易に開封することができる包装用箱を提供することができる。また、開口部が大きいため、内容物の取出しや、再度蓋を閉める動作も容易である。
【発明を実施するための最良の形態】
【０００８】
以下、この発明の実施形態について図面に基づいて説明する。図１は、この発明の一実施形態の包装用箱１０の展開図について示したもので、この実施形態の包装用箱１０は、厚紙等の１枚のブランクシートを打ち抜いて形成された箱体形成片１２を組み立てて設けられている。
【０００９】
箱体形成片１２は、側面１４，１６，１８，２０が、互いに平行に連接して形成されている。さらに、側面１４の側縁部には、包装用箱１０の組立状態で側面２０の内側に糊付される糊付片２２が設けられている。そして、糊付片２２、側面１４，１６，１８，２０は、各々折罫線２４，２６，２８，３０で区切られている。
【００１０】
側面１４の、隣接する側面１６、糊付片２２の連接方向に対して平行に位置する端部には、上蓋片３２が折罫線３４で区切られて設けられている。折罫線３４上には、折り曲げを容易にする破断線が設けられている。上蓋片３２の、折罫線３４に対して直角方向の長さは、組み立て状態で側面１４，１８間の間隔とほぼ同じ長さに形成されている。上蓋片３２の折罫線３４に対して平行方向の幅は、側面１６とほぼ同じ幅に形成されている。
【００１１】
上蓋片３２の、折罫線３４と反対側の端部には、略台形の差込片３６が折罫線３８に区切られて設けられている。折罫線３８には、折り曲げを容易にする破断線が設けられている。差込片３６の、折罫線３８に対して平行方向の幅は、上蓋片３２とほぼ同じ幅に形成され、折罫線３８と反対側の先端部３６aに近い部分はやや細く形成されている。先端部３６aの中心には、円弧状に側方へ突出する摘み部４０が形成されている。差込片３６の、折罫線３８に対して直角方向の幅は、組み立て状態のとき、側面１８に半分以上重なり、後述の糊付片６０を覆い、後述の押込部６６に、摘み部４０の先端が少し重なる長さに形成されている。
【００１２】
そして側面１４の、折罫線３４と反対側の端部には、第一底蓋片４２が、折罫線４４で区切られて設けられている。第一底蓋片４２の折罫線４４から折罫線４４に対して平行な端部４２aまでの長さは、端部４２aが包装用箱１０の組み立て状態で底面の中心線付近に位置する長さ、つまり側面１６，２０の半分の幅に設けられている。そして、端部４２aの中心から折罫線２４側の部分は、端部４４aよりも外側に幅広に形成された差込片４６となる。また、第一底蓋片４２の後述する折罫線５８近傍には、略三角形の糊付片４８が折罫線５０で区切られて設けられ、折罫線５０は折罫線４４に対して鋭角で交差する方向に設けられている。
【００１３】
側面１６の、側面１４の折罫線３４に隣接する端部には、台形状のフラップ５２が折罫線５４で区切られて設けられている。折罫線５４には、折り曲げを容易にする破断線が設けられている。また側面１６の、折罫線４４に隣接する端部には、略三角状のフラップ５６が折罫線５８で区切られて設けられている。
【００１４】
側面１８には、折罫線５４に隣接する端部１８aに連接して、側面１８の中央付近に達する逆台形状の糊付片６０が、破断線６２に区切られて設けられている。糊付片６０の、端部１８a側の端部６０aは、端部１８aより底面側に窪んだ位置に形成されている。破断線６２の、側面１８中央側に位置する両角部には、Ｊ字形で互いに外へ向かう一対の切込線６４が形成されている。糊付片６０の一対の切込線６４の間で、糊付片６０より少し離れた位置には、長丸形の押込部６６が形成されている。押込部６６の長手方向の軸は、端部１８ａに対して平行に位置している。押込部６６の、端部１８ａ寄りの直線部分は折罫線６８で形成され、折罫線６８以外は数ヶ所で破断され部分的につながった破断線７０が形成されている。破断線６２，７０は、切断線部と一対の切断線部の間の短い連結部からなり、切断線部は長く連結部は極く短く設けられ、弱い力で連結部が切断される。
【００１５】
側面１８の、端部１８ａと反対側の端部には、第二底蓋片７２が、折罫線７４で区切られて設けられている。第二底蓋片７２の折罫線７４から折罫線７４に対して平行な端部７２aまでの長さは、端部７２aが包装用箱１０の組み立て状態で底面の中心線付近に位置する長さ、つまり側面１６，２０の半分の幅に設けられている。そして、端部７２aの中心から折罫線５８側の部分は、端部７２aよりも外側に幅広に形成された差込片７８となる。また、第二底蓋片７２の後述する折罫線９０近傍には、略三角形の糊付片８２が折罫線８４で区切られて設けられ、折罫線８４は折罫線７４に対して鋭角で交差する方向に設けられている。
【００１６】
側面２０の、側面１８の端部１８ａに隣接する端部には、台形状のフラップ８５が折罫線８６で区切られて設けられている。折罫線８６には、折り曲げを容易にする破断線が設けられている。また側面２０の、折罫線７４に隣接する端部には、略三角状のフラップ８８が折罫線９０で区切られて設けられている。
【００１７】
次にこの実施形態の包装用箱１０の組み立て方法について説明する。なお、ここでは図１が包装用箱１０の箱体形成片１２の表面側を見たものであり、箱体形成片１２の表面側が凸になる折り方を正折り、そして裏面側が凸になる折り方を逆折りと称する。
【００１８】
まず、第一底蓋片４２を折罫線４４で正折りし、第二底蓋片７２を折罫線７４で正折りする。次に第一底蓋片４２の折罫線５０で糊付片４８を逆折し、第二底蓋片７２の折罫線８４で糊付片８２を逆折りする。そしてフラップ５６を折罫線５８で正折りし、フラップ８８を折罫線９０で正折りする。次に糊付片４８の裏面に糊９２を、また糊付片８２の裏面に糊９４を塗布する。糊付片２２の表面には、糊９６を塗布する。
【００１９】
この後、折罫線２６を正折りする。これにより、第一底蓋片４２の糊付片４８の裏面は、糊９２により、フラップ５６の表面に糊付される。そして、折罫線３０を正折りすることにより、第二底蓋片７２の糊付片８２の裏面は、糊９４によりフラップ８８の表面に糊付されるとともに、側面２０は糊付片２２に糊９６により糊付される。
【００２０】
この後、収容物を入れる際に、折罫線２４，２６，２８，３０を各々９０度に正折りして四角形の箱体にする。このとき、第一底蓋片４２は側面１４からフラップ５６と共に引き起こされて折罫線４４で直角に正折りされ、同時に第二底蓋片７２は側面１８からフラップ８８と共に引き起こされて折罫線７４で直角に正折りされる。さらに、第一底蓋片４２の差込片４６が第二底蓋片７２の端部７２ａの裏面に差し込まれ、第二底蓋片７２の差込片７８が、第一底蓋片４２の端部４２ａの裏面に差し込まれ、互いに確実に係止されて底面を形成する。
【００２１】
この状態で、商品を中に入れる。そして、糊付片６０の表面側に糊９８を塗布する。折罫線５４，８６でフラップ５２，８５を９０度に正折りし、その後折罫線３４で上蓋片３２を９０度に正折りし、差込片３６を折罫線３８で正折りし、差込片３６を側面１８の外側に重ね、糊９８により糊付片６０に糊付し、封をする。
【００２２】
次に、包装用箱１０の開封方法について図２に基づいて説明する。開封する際には、押込部６６に指を当てて押圧すると、破断線７０の連結している部分が破れ、押込部６６は折罫線６８を軸として回転可能となる。そして側面１８の内側に押し入れると、破断線７０の内側に開口部１０２が形成される。開口部１０２には、差込片３６の摘み部４０が、張り出している。そして、開口部１０２に指を入れ、摘み部４０を引き上げると、糊付片６０の破断線６２は容易に切断されて側面１８から分離し、差込片３６と上蓋片３２は、側面１８から離れて開封される。包装用箱１０を開封後、再び上蓋片３２を閉じるときは、差込片３６を、側面１８の内側に差し込んで閉鎖する。
【００２３】
この実施形態の包装用箱１０によれば、簡単な構造で開封しやすく、手が不自由な人や力が弱い人が容易に開封することができる。しかも、大きい押込部６６が側面１８に形成され、押込部６６を押して形成した開口部１０２に摘み部４０が張り出しているため、摘み部４０を容易に持ち上げることができる。また、糊付片６０は、破断線６２の切断線部分を長く、連結部を短くしているため、弱い力でも切断することができる。このため、力が弱い人や手が不自由な人でも、より容易に開封することができる。さらに、糊付片６０が大きく形成され、側面１８の半分以上の長さと幅を有しているため、開封すると側面１６が大きく切り欠かれて内容物の取出口が大きくなり、内容物が取り出しやすい。再び閉めるときも、差込片３６を側面１８の内側に入れやすい。
【００２４】
なお、この発明は上記実施形態に限定されるものではなく、押込部や各糊付片の形状や大きさなど、適宜変更可能である。包装用箱の材質は、紙やプラスチック等、自由に選択可能である。折罫線の形状は、材質や商品イメージに合わせて変更可能である。
【図面の簡単な説明】
【００２５】
【図１】この発明の一実施形態の包装用箱の展開図である。
【図２】この実施形態の包装用箱の開封方法を示す部分斜視図である。
【符号の説明】
【００２６】
１０  包装用箱
１２  箱体形成片
１４，１６，１８，２０  側面
２２，４８，６０，８２  糊付片
３２  上蓋片
３６，４６，７８  差込片
４０  摘み部 
４２  第一底蓋片
５２，５６，８５，８８  フラップ
６２，７０  破断線
６４  切込線
６６  押込部
７２  第二底蓋片
９２，９４，９６，９８  糊
１０２  開口部
【図１】
2005112384.tif 000003
【図２】
2005112384.tif 000004